(57)【要約】【課題】小型化を図りつつ、光変調装置の効率的な冷却が可能なプロジェクターを提供する。【解決手段】プロジェクターは、光源と、光源から射出された光束を画像情報に応じて変調する光変調装置５２Ｇと、冷却風を送出する冷却ファン７２Ｇと、冷却風を導き、導いた冷却風を光変調装置５２Ｇに流出する複数の流出口９を有するダクト８と、を備え、複数の流出口９は、冷却風が乱流となって流出するように形成されている。【選択図】図３
2013182145.tif 000002
【特許請求の範囲】
【請求項１】
光源と、前記光源から射出された光束を画像情報に応じて変調する光変調装置とを備えたプロジェクターであって、
冷却風を送出する冷却ファンと、
前記冷却風を導き、導いた前記冷却風を前記光変調装置に流出する複数の流出口を有するダクトと、
を備え、
前記複数の流出口は、前記冷却風が乱流となって流出するように形成されていることを特徴とするプロジェクター。
【請求項２】
請求項１に記載のプロジェクターであって、
前記複数の流出口は、前記ダクト内の第１の流通方向に流通する前記冷却風を前記第１の流通方向に対して屈曲する第２の流通方向に流出するように形成されていることを特徴とするプロジェクター。
【請求項３】
請求項２に記載のプロジェクターであって、
前記ダクトは、前記複数の流出口が形成された流出口形成部を有し、
前記流出口形成部は、前記第２の流通方向に対して傾斜する傾斜壁を有し、
前記複数の流出口のうち、前記第１の流通方向における下流側の前記流出口は、前記傾斜壁に設けられていることを特徴とするプロジェクター。
【請求項４】
請求項２または請求項３に記載のプロジェクターであって、
前記複数の流出口は、前記第１の流通方向に沿って列設された複数の第１流出口を有し、
前記複数の第１流出口は、前記第１の流通方向において、最も下流側の第１流出口の開口面積が他の第１流出口の開口面積より小さく形成されていることを特徴とするプロジェクター。
【請求項５】
請求項１〜請求項４のいずれか一項に記載のプロジェクターであって、
複数の色光をそれぞれ変調する複数の前記光変調装置を備え、
前記複数の流出口は、前記複数の光変調装置のうち、前記冷却ファンからの前記冷却風の流路が最も短い前記光変調装置に対応して設けられていることを特徴とするプロジェクター。
【発明の詳細な説明】
【技術分野】
【０００１】
本発明は、プロジェクターに関する。
【背景技術】
【０００２】
従来、光源から射出された光束を画像情報に応じて変調し、変調した光束をスクリーン等の投写面に投写するプロジェクターが知られている。このプロジェクターには、光源からの光束を変調するための光変調装置等の光学部品が備えられている。そして、光変調装置は、光源からの光束が入射することによって発熱して光学特性が低下するため、この光変調装置を冷却するための技術が提案されている（例えば、特許文献１参照）。
【０００３】
特許文献１に記載のプロジェクターは、光変調装置としての液晶パネル、および液晶パネルを冷却する冷却装置を備え、冷却装置は、一対のシロッコファン、およびこの一対のシロッコファンが取り付けられるダクトを有している。ダクトは、シロッコファンから送出された冷却風を水平方向に導いた後、ダクトの上部に設けられた吹き出し孔から流出させ、この冷却風を液晶パネルに送風するように構成されている。
【先行技術文献】
【特許文献】
【０００４】
【特許文献１】特開２００６−７２０１０号公報
【発明の概要】
【発明が解決しようとする課題】
【０００５】
しかしながら、特許文献１に記載の技術では、シロッコファンから送出された冷却風が、ダクト内を水平方向に流通した後、吹き出し孔から流出する際に、ダクトの内面に衝突するため、風速や風向が乱れて流出することが考えられる。吹き出し孔から流出する冷却風の風速や風向が乱れると、この冷却風が液晶パネルから逸れたり、液晶パネルの一部に偏って送風されたりする恐れがあり、液晶パネルの効率的な冷却が難しいという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源と、前記光源から射出された光束を画像情報に応じて変調する光変調装置とを備えたプロジェクターであって、冷却風を送出する冷却ファンと、前記冷却風を導き、導いた前記冷却風を前記光変調装置に流出する複数の流出口を有するダクトと、を備え、前記複数の流出口は、前記冷却風が乱流となって流出するように形成されていることを特徴とする。
【０００８】
この構成によれば、複数の流出口から流出する冷却風は、乱流となって光変調装置に送風される。これによって、冷却風が層流として光変調装置に送風される場合より、光変調装置を効率よく冷却することが可能となる。すなわち、冷却風が層流として送風される場合、光変調装置の光束入射側端面上や光束射出側端面上には、温度境界層が形成されることにより、この面上における冷却風の風速は減速するが、冷却風が乱流として送風される場合、この面上における温度境界層の形成が抑制されるので、光束入射側端面上や光束射出側端面上における冷却風の風速の減速を抑制することが可能となる。よって、光変調装置の効率的な冷却が可能となる。
【０００９】
［適用例２］上記適用例に係るプロジェクターにおいて、前記複数の流出口は、前記ダクト内の第１の流通方向に流通する前記冷却風を前記第１の流通方向に対して屈曲する第２の流通方向に流出するように形成されていることが好ましい。
【００１０】
この構成によれば、光変調装置とダクトとを重ねて配置し、ダクト内の第１の流通方向に流通する冷却風を、複数の流出口から第１の流通方向と屈曲する第２の流通方向に乱流として流出させることが可能となる。これによって、第１の流通方向に流通する冷却風が流出口に向かう際に、ダクトの内面に衝突して風速や風向が乱れることにより、光変調装置とは逸れた方向に向かう恐れがあるが、複数の流出口は、乱流となって冷却風を流出するように形成されているので、この冷却風を適正に光変調装置の方向に流出させることが可能となる。
したがって、プロジェクターの小型化を図りつつ、光変調装置の効率的な冷却が可能となる。
【００１１】
［適用例３］上記適用例に係るプロジェクターにおいて、前記ダクトは、前記複数の流出口が形成された流出口形成部を有し、前記流出口形成部は、前記第２の流通方向に対して傾斜する傾斜壁を有し、前記複数の流出口のうち、前記第１の流通方向における下流側の前記流出口は、前記傾斜壁に設けられていることが好ましい。
【００１２】
この構成によれば、流出口に向かって第２の流通方向に流通する冷却風のうち、第１の流通方向における下流側の冷却風の一部を傾斜壁によってその風向きを変え、傾斜壁に設けられた流出口から流出させることができる。これによって、第１の流通方向に向かう冷却風の勢いで下流側に位置する流出口から流出する冷却風がさらに下流側、つまり光変調装置から離間する方向に送風されることを抑制することが可能となる。よって、流出口から流出する冷却風をさらに有効に光変調装置に送風し、光変調装置の効率的な冷却が可能となる。
【００１３】
［適用例４］上記適用例に係るプロジェクターにおいて、前記複数の流出口は、前記第１の流通方向に沿って列設された複数の第１流出口を有し、前記複数の第１流出口は、前記第１の流通方向において、最も下流側の第１流出口の開口面積が他の第１流出口の開口面積より小さく形成されていることが好ましい。
【００１４】
この構成によれば、第１の流通方向において、最も下流側の第１流出口の開口面積は、他の第１流出口の開口面積より小さく形成されているので、最も下流側の第１流出口から流出する冷却風の風量を、他の第１流出口から流出する冷却風の風量より小さくすることができる。これによって、最も下流側の第１流出口から流出する冷却風が、第１の流通方向に流通する勢いで第１流出口の下流側、つまり、光変調装置から離間する方向に向かうことを抑制することが可能となる。よって、流出口から流出する冷却風をさらに有効に光変調装置に送風し、光変調装置の効率的な冷却が可能となる。
【００１５】
［適用例５］上記適用例に係るプロジェクターにおいて、複数の色光をそれぞれ変調する複数の前記光変調装置を備え、前記複数の流出口は、前記複数の光変調装置のうち、前記冷却ファンからの前記冷却風の流路が最も短い前記光変調装置に対応して設けられていることが好ましい。
【００１６】
冷却ファンから送出される冷却風は、冷却ファンの構造等によって冷却ファンの送出口における風速等の分布が不均一のため、冷却風の流路が短いと、分布が不均一な冷却風がそのまま流出口に向かうこととなるが、流出口は、冷却風が乱流となって流出するように形成されているので、風速等の偏りによる著しい風速や風向の乱れを抑制することが可能となる。
よって、冷却ファンを光変調装置の近くに配置した場合であっても、光変調装置に効率良く冷却風を送風することが可能となる。したがって、冷却ファンの配置の自由度をさらに向上させつつ、光変調装置の効率的な冷却が可能となる。
【図面の簡単な説明】
【００１７】
【図１】本実施形態のプロジェクターの概略構成を示す模式図。
【図２】本実施形態の光学装置および冷却装置を示す斜視図。
【図３】本実施形態の電気光学装置および冷却装置の一部を示す斜視図。
【図４】本実施形態の電気光学装置および光変調装置近傍の冷却装置の断面図。
【図５】本実施形態の電気光学装置および電気光学装置近傍のダクトの断面図。
【発明を実施するための形態】
【００１８】
以下、本実施形態に係るプロジェクターについて、図面を参照して説明する。
本実施形態のプロジェクターは、光源から射出された光束を画像情報に応じて変調してスクリーン等に拡大投写する。
【００１９】
〔プロジェクターの主な構成〕
図１は、本実施形態のプロジェクター１の概略構成を示す模式図である。
プロジェクター１は、図１に示すように、外装を構成する外装筐体２、制御部（図示省略）、光源装置３１を有する光学ユニット３、および冷却装置７を備えている。なお、図示は省略するが、外装筐体２の内部には、さらに、光源装置３１や制御部に電力を供給する電源装置等が配置されている。
【００２０】
外装筐体２は、詳細な説明は省略するが、上部を構成する上ケース、下部を形成する下ケース等を有し、これらは、ネジ等により固定されている。そして、外装筐体２には、外気を取り込むための吸気口、および外装筐体２内部の温まった空気を外部に排気する排気口等が設けられている。なお、吸気口には、図示しない防塵フィルターが配置されており、外気に混入している塵埃の外装筐体２内への侵入を抑制するように構成されている。
【００２１】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御や冷却装置７に備えられた冷却ファンの駆動等の制御を行う。
【００２２】
光学ユニット３は、制御部による制御の下、光源装置３１から射出された光束を光学的に処理して投写する。
光学ユニット３は、図１に示すように、光源装置３１に加え、インテグレーター照明光学系３２、色分離光学系３３、リレー光学系３４、光学装置４、投写レンズ３６、およびこれらの部材を光路上の所定位置に配置する光学部品用筐体３８を備えている。
【００２３】
光学ユニット３は、図１に示すように平面視略Ｌ字状に形成され、一方の端部に光源装置３１が着脱可能に配置され、他方の端部に投写レンズ３６が配置される。なお、以下では、説明の便宜上、光源装置３１から光束が射出される方向を＋Ｘ方向、投写レンズ３６から光束が射出される方向を＋Ｙ方向（前側）、プロジェクター１が机上等に据え置かれた据置姿勢における上方を＋Ｚ方向（上側）として記載する。
【００２４】
光源装置３１は、超高圧水銀ランプやメタルハライドランプ等からなる放電型の光源３１１およびリフレクター３１２等を備える。光源３１１は、赤色光および青色光に比べ緑色光の強度が高い光束を射出する。光源装置３１は、光源３１１から射出された光束をリフレクター３１２によって射出方向を揃え、インテグレーター照明光学系３２に向けて射出する。
【００２５】
インテグレーター照明光学系３２は、第１レンズアレイ３２１、第２レンズアレイ３２２、偏光変換素子３２３、および重畳レンズ３２４を備える。
第１レンズアレイ３２１は、光源装置３１から射出された光束を複数の部分光束に分割する光学部材であり、光源装置３１から射出された光束の光軸Ｌに対して略直交する面内にマトリックス状に配列される複数の小レンズを備えている。
【００２６】
第２レンズアレイ３２２は、第１レンズアレイ３２１と略同様の構成を有しており、重畳レンズ３２４とともに、第１レンズアレイ３２１から射出された部分光束を後述する液晶パネルの表面に重畳させる。
偏光変換素子３２３は、第２レンズアレイ３２２から射出されたランダム光を液晶パネルで利用可能な略１種類の偏光光に揃える機能を有する。
【００２７】
色分離光学系３３は、２枚のダイクロイックミラー３３１，３３２、および反射ミラー３３３を備え、インテグレーター照明光学系３２から射出された光束を赤色光（以下「Ｒ光」という）、緑色光（以下「Ｇ光」という）、青色光（以下「Ｂ光」という）の３色の色光に分離する機能を有する。
【００２８】
リレー光学系３４は、入射側レンズ３４１、リレーレンズ３４３、および反射ミラー３４２，３４４を備え、色分離光学系３３で分離されたＲ光をＲ光用の液晶パネルまで導く機能を有する。なお、光学ユニット３は、リレー光学系３４がＲ光を導く構成としているが、これに限らず、例えば、Ｂ光を導く構成としてもよい。
【００２９】
図２は、光学装置４および冷却装置７を示す斜視図である。
光学装置４は、図１、図２に示すように、Ｒ光、Ｇ光、Ｂ光の各色光用に設けられた電気光学装置５（Ｒ光用の電気光学装置を５Ｒ、Ｇ光用の電気光学装置を５Ｇ、Ｂ光用の電気光学装置を５Ｂとする）、および色合成光学装置としてクロスダイクロイックプリズム４１を備えている。光学装置４は、色分離光学系３３で分離された各色光を画像情報に応じて変調し、変調した各色光を合成する。
【００３０】
各電気光学装置５は、図１に示すように、入射側偏光板５１、光変調装置５２（Ｒ光用の光変調装置を５２Ｒ、Ｇ光用の光変調装置を５２Ｇ、Ｂ光用の光変調装置を５２Ｂとする）、射出側偏光板５４、および光変調装置５２を保持する保持部材６、取付部材６４（いずれも図２参照）を備えている。
【００３１】
入射側偏光板５１は、色分離光学系３３で分離された各色光のうち、偏光変換素子３２３で揃えられた偏光光を透過し、その偏光光と異なる偏光光を吸収して光変調装置５２に射出する。入射側偏光板５１は、図示しない透明基材に貼付され、光学部品用筐体３８に取り付けられる。
【００３２】
光変調装置５２は、詳細な図は省略するが、一対の透明なガラス基板に液晶が密閉封入された液晶パネルを備え、微小画素がマトリックス状に形成された矩形状の画素領域を有している。光変調装置５２は、保持部材６に外周部が保持され、フレキシブル基板５２Ｆ（図２参照）を介して制御部に接続されている。
光変調装置５２は、制御部から入力された駆動信号に応じて液晶の配向状態が制御され、入射する色光を画像情報に応じて変調する。
【００３３】
取付部材６４（図２参照）は、詳細な説明は省略するが、複数の板金から構成され、保持部材６に保持された光変調装置５２、および透明基材に貼付された射出側偏光板５４をクロスダイクロイックプリズム４１に固定するために用いられる。
保持部材６に保持された光変調装置５２は、図２に示すように、フレキシブル基板５２Ｆが上側となるように配置され、取付部材６４を介してクロスダイクロイックプリズム４１に取り付けられる。
【００３４】
射出側偏光板５４は、入射側偏光板５１と略同様の機能を有し、光変調装置５２にて変調された色光のうち一定方向の偏光光を透過し、その偏光光と異なる偏光光を吸収してクロスダイクロイックプリズム４１に射出する。射出側偏光板５４は、詳細な説明は省略するが、図示しない透明基材に貼付され、取付部材６４（図２参照）を介してクロスダイクロイックプリズム４１に固定される。
【００３５】
クロスダイクロイックプリズム４１は、４つの直角プリズムを貼り合わせた平面視略正方形状をなし、各電気光学装置５が対向して配置される３つの光束入射側端面を有している。そして、クロスダイクロイックプリズム４１は、直角プリズム同士を貼り合わせた界面に、２つの誘電体多層膜が形成されている。クロスダイクロイックプリズム４１は、誘電体多層膜が電気光学装置５Ｒ，５Ｂから射出された色光を反射し、電気光学装置５Ｇから射出された色光を透過して、各色光を合成する。
【００３６】
投写レンズ３６は、複数のレンズを組み合わせた組レンズとして構成され、クロスダイクロイックプリズム４１にて合成された光をスクリーン上に拡大投写する。
【００３７】
冷却装置７は、図２に示すように、吸気ダクト７１、３つの冷却ファン７２Ｒ，７２Ｇ，７２Ｂ、およびダクト８を備えている。冷却装置７は、冷却ファン７２Ｒ，７２Ｇ，７２Ｂの駆動により外装筐体２の吸気口から防塵フィルターを介して外気を取り込み、取り込んだ外気を吸気ダクト７１によって冷却ファン７２Ｒ，７２Ｇ，７２Ｂに導く。そして、冷却装置７は、冷却ファン７２Ｒ，７２Ｇ，７２Ｂが取り込んだ外気を冷却風として送出し、この冷却風をダクト８によって電気光学装置５および偏光変換素子３２３に導いて、これらの部材を冷却する。
【００３８】
〔冷却装置の構成および冷却風の流れ〕
ここで、冷却装置７について詳細に説明する。
冷却装置７は、前述したように、吸気ダクト７１、３つの冷却ファン７２Ｒ，７２Ｇ，７２Ｂ、およびダクト８を備えている（図２参照）。
【００３９】
吸気ダクト７１は、外装筐体２の内側から外装筐体２の吸気口を囲む開口部７１１を有している。開口部７１１は、図２に示すように、前後方向（Ｙ方向）が上下方向（Ｚ方向）より長い平面視矩形状に形成されている。吸気ダクト７１は、この開口部７１１が３つの冷却ファン７２Ｒ，７２Ｇ，７２Ｂの各吸入口と連通するように形成されている。吸気ダクト７１は、冷却ファン７２Ｒ，７２Ｇ，７２Ｂが駆動されることにより、防塵フィルターを介して流入する外装筐体２外部の空気を開口部７１１から冷却ファン７２Ｒ，７２Ｇ，７２Ｂの各吸入口に導く。
【００４０】
冷却ファン７２Ｒ，７２Ｇ，７２Ｂは、略円柱状の形状を有し、厚み寸法が略円柱状の外形寸法より小さなシロッコファンで構成されている。冷却ファン７２Ｒ，７２Ｇ，７２Ｂは、それぞれが空気を吸入する吸入口７２１（図２参照、冷却ファン７２Ｒ，７２Ｂの吸入口は図示省略）、および吸入された空気を送出する送出口を有し、吸入した空気を冷却風として送出する。
【００４１】
冷却ファン７２Ｇは、図２に示すように、電気光学装置５Ｒの近傍の吸気ダクト７１および光学部品用筐体３８（図１参照）の下方となる位置で、厚み方向が上下方向に沿うように配置（横置き配置）される。冷却ファン７２Ｂは、光学装置４の前方（＋Ｙ側）で、投写レンズ３６の下方となる位置で横置き配置される。そして、冷却ファン７２Ｒは、冷却ファン７２Ｂの＋Ｘ側で、投写レンズ３６の側方となる位置で、厚み方向がＸ方向に沿うように配置（縦置き配置）される。
【００４２】
このように、冷却ファン７２Ｒ，７２Ｇ，７２Ｂは、冷却ファン７２Ｒ，７２Ｂが投写レンズ３６側方、下方に配置され、冷却ファン７２Ｇが吸気ダクト７１および光学部品用筐体３８の下方に配置されるというプロジェクター１内のデッドスペースになりがちなスペースを有効に利用して配置されている。
【００４３】
冷却ファン７２Ｒは、電気光学装置５Ｒを主に冷却するためのファンである。冷却ファン７２Ｒは、図２に示すように、吸入口（図示省略）が＋Ｘ側、つまり外装筐体２の吸気口側（投写レンズ３６とは反対側）を向き、送出口（図示省略）が後方（−Ｙ側）を向くように配置され、吸気ダクト７１の−Ｘ側にネジ固定される。
【００４４】
冷却ファン７２Ｇは、電気光学装置５Ｇを主に冷却するためのファンである。冷却ファン７２Ｇは、図２に示すように、吸入口７２１が上方（＋Ｚ側）を向き、送出口７２２（図４参照）が−Ｘ側（電気光学装置５Ｒ側）を向くように配置され、ダクト８にネジ固定される。
【００４５】
冷却ファン７２Ｂは、電気光学装置５Ｂ、および偏光変換素子３２３を主に冷却するためのファンである。冷却ファン７２Ｂは、図２に示すように、吸入口（図示省略）が上方（＋Ｚ側）を向き、送出口（図示省略）が後方（−Ｙ側）を向くように配置され、ダクト８にネジ固定される。
【００４６】
ダクト８は、冷却ファン７２Ｒ，７２Ｇ，７２Ｂから送出された冷却風を電気光学装置５Ｒ，５Ｇ，５Ｂおよび偏光変換素子３２３に導く機能を有している。
ダクト８は、図２に示すように、吸気ダクト７１の−Ｘ側から冷却ファン７２Ｒ，７２Ｇ，７２Ｂの吸入口７２１（冷却ファン７２Ｒ，７２Ｂの吸入口は図示省略）を囲んで光学装置４の下方（−Ｚ側）に延出して形成され、外装筐体２の下ケース（図示省略）に固定される。
【００４７】
ダクト８は、外装筐体２の下ケースとで複数の流路を形成している。
ダクト８は、冷却ファン７２Ｒから送出された冷却風が流通する第１流路、冷却ファン７２Ｇから送出された冷却風が流通する第２流路、および冷却ファン７２Ｂから送出された冷却風が流通する第３流路を有している。
【００４８】
第１流路は、冷却ファン７２Ｒの送出口から冷却ファン７２Ｇと冷却ファン７２Ｂとの間を通り、電気光学装置５Ｒ下方に延出している。
第１流路の下流側端部には、図２に示すように、この第１流路を流通した冷却風が流出する流出口８１２，８１３が形成されている。
流出口８１２，８１３は、縁部が上方に突出して形成されている。そして、流出口８１２は、光変調装置５２Ｒの下方に位置し、流出口８１３は、電気光学装置５Ｒに備えられた射出側偏光板５４の下方に位置するように形成されている。
【００４９】
冷却ファン７２Ｒから送出された冷却風は、第１流路を流れ、流出口８１２，８１３からダクト８の上方に流出する。
そして、流出口８１２から流出した冷却風は、光変調装置５２Ｒ、および電気光学装置５Ｒの入射側偏光板５１を主に冷却し、流出口８１３から流出した冷却風は、電気光学装置５Ｒの射出側偏光板５４を主に冷却する。
【００５０】
第２流路は、冷却ファン７２Ｇの送出口７２２から電気光学装置５Ｇの下方に延出しており、３つの流路（第１流路、第２流路、第３流路）の中で最も短く形成されている。
図３は、電気光学装置５Ｇおよび冷却装置７の一部を示す斜視図である。
第２流路は、図３に示すように、ダクト８に設けられた外形が直方体状の流路形成部８２、および流路形成部８２から上方に突出する流出口形成部８４によって形成されている。
【００５１】
流路形成部８２は、冷却ファン７２Ｇの送出口７２２と連通するように＋Ｘ側に開口部が設けられて箱状に形成され、−Ｘ側には、立壁８２１が形成されている。
流出口形成部８４は、立壁８２１寄りの流路形成部８２の上方に設けられており、複数の流出口９が形成されている。複数の流出口９は、電気光学装置５Ｇの下方に位置し、冷却ファン７２Ｇから送出された冷却風が流出する。また、複数の流出口９は、光変調装置５２Ｒ，５２Ｇ，５２Ｂのうち、冷却ファン７２Ｒ，７２Ｇ，７２Ｂからの冷却風の流路が最も短い光変調装置５２Ｇに対応して設けられている。流出口９については、後で詳細に説明する。
【００５２】
第３流路は、冷却ファン７２Ｂの送出口から電気光学装置５Ｂの下方を経て、偏光変換素子３２３の下方に延出して形成されている。そして、第３流路には、図２に示すように、この第３流路を流通した空気が流出する流出口８３１，８３２，８３３が形成されている。
【００５３】
流出口８３１，８３２は、縁部が上方に突出して形成されている。そして、流出口８３１は、光変調装置５２Ｂの下方に位置し、流出口８３２は、電気光学装置５Ｂに備えられた射出側偏光板５４の下方に位置するように形成されている。
流出口８３３は、偏光変換素子３２３の下方に位置するように形成されており、図２に示すように、縁部が上方に突出し、内側には、偏光変換素子３２３に効率良く冷却風が送風されるような傾斜面を有して形成されている。
【００５４】
冷却ファン７２Ｂから送出された冷却風は、第３流路に流れ、流出口８３１，８３２，８３３からダクト８の上方に流出する。
そして、流出口８３１から流出した冷却風は、光変調装置５２Ｂ、および電気光学装置５Ｂの入射側偏光板５１を主に冷却し、流出口８３２から流出した冷却風は、電気光学装置５Ｂの射出側偏光板５４を主に冷却する。そして、流出口８３３から流出した冷却風は、偏光変換素子３２３を冷却する。
【００５５】
ここで、流出口９について詳細に説明する。
図４は、電気光学装置５Ｇ、および電気光学装置５Ｇ近傍の冷却装置７を後方から見た断面図である。図５は、電気光学装置５Ｇ、および電気光学装置５Ｇ近傍のダクト８を−Ｘ側から見た断面図である。
複数の流出口９は、前述したように、流出口形成部８４に形成されている。
流出口形成部８４は、図３、図４に示すように、下方から上方に向かう程細くなるように突出しており、先端（上端）および下端が平面視矩形状に形成されている。そして、上端と下端との間には、傾斜壁８４１，８４２，８４３および起立壁８４４が形成されている。
【００５６】
傾斜壁８４１は、図３、図４に示すように、流出口形成部８４の＋Ｘ側の側壁を形成しており、流路形成部８２の上面から上方に向かう程、つまり光変調装置５２Ｇに向かう程−Ｘ側となるように傾斜している。
傾斜壁８４２は、流出口形成部８４の−Ｘ側の側壁を形成しており、立壁８２１に接続して形成されている。傾斜壁８４２は、上方に向かう程、つまり光変調装置５２Ｇに向かう程＋Ｘ側となるように傾斜している。
【００５７】
傾斜壁８４３は、図５に示すように、流出口形成部８４の＋Ｙ側の側壁を形成しており、流路形成部８２の上面から上方に向かう程、つまり光変調装置５２Ｇに向かう程−Ｙ側となるように傾斜している。
起立壁８４４は、図３、図５に示すように、流出口形成部８４の−Ｙ側の側壁を形成しており、上下方向に沿って延出している。そして、この起立壁８４４の上端部には、切欠き８４５が設けられている。
【００５８】
複数の流出口９は、傾斜壁８４１に設けられた複数の流出口９１、流出口形成部８４の上端に設けられた流出口９２、傾斜壁８４２に設けられた複数の流出口９３、傾斜壁８４３に設けられた複数の流出口９４、および切欠き８４５によって形成された流出口９５で構成されている。各流出口９１，９２，９３，９４，９５は、平面視矩形状に形成されており、各流出口９１，９２，９３，９４，９５の間には、格子状の枠部が形成されている。
【００５９】
また、複数の流出口９３は、流出口形成部８４の上端側から下端側に向かって順次形成された流出口９３ａ，９３ｂ，９３ｃ，９３ｄで構成されている。
そして、流出口９１，９２，９３ａ，９３ｂ，９３ｃ，９３ｄは、冷却ファン７２Ｇから送出された冷却風１００が流路形成部８２を流通し、立壁８２１に向かう方向（第１の流通方向）に沿って列設されており、第１流出口に相当する。また、流出口９１，９２，９３ａ，９３ｂ，９３ｃ，９３ｄは、光変調装置５２Ｇの下方に位置し、光変調装置５２Ｇの光束入射側端面に沿うようにも配置されることとなる。
【００６０】
また、流出口９３ａ，９３ｂ，９３ｃ，９３ｄは、この順で開口面積が小さくなるように形成され、第１の流通方向において、最も下流側に位置する流出口９３ｄは、この第１の流通方向に沿って列設された９１，９２，９３ａ，９３ｂ，９３ｃ，９３ｄの中で最も開口面積が小さく形成されている。
一方、流出口９４は、図５に示すように、電気光学装置５Ｇの射出側偏光板５４の下方に位置し、流出口９５は、電気光学装置５Ｇの入射側偏光板５１の下方に位置するように形成されている。
【００６１】
次に、冷却ファン７２Ｇから送出された冷却風の流れについて説明する。
冷却ファン７２Ｇから送出された冷却風１００は、図４に示すように、流路形成部８２内を第１の流通方向に流通し、各流出口９に向かう。各流出口９に向かう冷却風１１０は、流出口９から流出する際に、冷却風１１０同士の衝突や、流出口形成部８４の枠部によって風速や風向が変えられことにより、乱流となって、第１の流通方向に対して屈曲する第２の方向（上方）に流出する（冷却風１２０）。
【００６２】
また、傾斜壁８４２に向かう冷却風１００の一部は、傾斜壁８４２の内面に案内され、第１の流通方向における上流側へ傾斜するような風向きに変更されて流出口９３ａ，９３ｂ，９３ｃ，９３ｄから流出する。さらに、流出口９３ｄは、第１の流通方向に沿って列設された流出口９１，９２，９３ａ，９３ｂ，９３ｃ，９３ｄの中で最も開口面積が小さく形成されているので、流出口９３ｄから流出する冷却風の風量は、他の流出口９１，９２，９３ａ，９３ｂ，９３ｃから流出する冷却風の風量より小さくなる。
【００６３】
そして、流出口９から流出した冷却風１２０は、光変調装置５２Ｇ、および光変調装置５２Ｇの光路前段側、光路後段側に配置された入射側偏光板５１、射出側偏光板５４に送風される。
光変調装置５２Ｇ、入射側偏光板５１および射出側偏光板５４に送風された冷却風１２０は、乱流となっているので、各部材の光束入射側端面および射出側端面上における温度境界層の形成が抑制されることによって風速の減速も抑制され、効率よくこれらの面上を流通する。
【００６４】
このように、複数の流出口９は、光変調装置５２Ｒ，５２Ｇ，５２Ｂのうち、冷却ファン７２Ｒ，７２Ｇ，７２Ｂからの冷却風１００の流路が最も短い光変調装置５２Ｇに対応して設けられている。そして、複数の流出口９は、冷却ファン７２Ｇから送出され、ダクト８内の第１の流通方向に流通する冷却風１００を、第１の流通方向と屈曲する第２の流通方向に乱流として流出する。また、第１の流通方向の下流側における冷却風の一部は、第２の流通方向に対して傾斜する傾斜壁８２４によって第１の流通方向における上流側へ傾斜するような風向きとなって流出口９３ａ，９３ｂ，９３ｃ，９３ｄから流出する。
そして、乱流となって流出した冷却風１２０は、光変調装置５２Ｇ、入射側偏光板５１、および射出側偏光板５４に送風されて、これらの部材の光束入射側端面および射出側端面上に効率よく流通する。
【００６５】
以上説明したように、本実施形態のプロジェクター１によれば、以下の効果を得ることができる。
（１）複数の流出口９から流出する冷却風１２０は、乱流となって光変調装置５２Ｇ、入射側偏光板５１、および射出側偏光板５４に送風される。これによって、冷却風が層流として光変調装置５２Ｇ等に送風される場合に発生する各部材の光束入射側端面および射出側端面上における温度境界層の発生が抑制されるので、光変調装置５２Ｇ、入射側偏光板５１、および射出側偏光板５４の効率的な冷却が可能となる。
【００６６】
（２）光変調装置５２Ｇとダクト８とが上下に重ねて配置され、複数の流出口９は、ダクト８内の第１の流通方向に流通する冷却風１００を、第１の流通方向と屈曲する第２の流通方向に乱流として流出するように構成されている。これによって、第１の流通方向に流通する冷却風１００が流出口９に向かう際に、ダクト８の内面に衝突して風速や風向が乱れることにより、光変調装置５２Ｇとは逸れた方向に向かう恐れがあるが、複数の流出口９は、乱流となって冷却風１２０を流出するように形成されているので、この冷却風１２０を適正に光変調装置５２Ｇの方向に流出させることが可能となる。
したがって、プロジェクター１の小型化を図りつつ、光変調装置５２Ｇの効率的な冷却が可能となる。また、冷却ファン７２Ｇからの冷却風１００を有効に利用できるので、冷却ファン７２Ｇを低速回転できることによる低騒音化が図れる。
【００６７】
（３）複数の流出口９のうち、第１の流通方向における下流側の流出口９３ａ，９３ｂ，９３ｃ，９３ｄは、傾斜壁８４２に設けられている。これによって、第１の流通方向に向かう冷却風１００の勢いで下流側に位置する流出口９３ａ，９３ｂ，９３ｃ，９３ｄから流出する冷却風がさらに下流側、つまり光変調装置５２Ｇから離間する方向（−Ｘ方向）に送風されることを抑制することが可能となる。よって、流出口９３ａ，９３ｂ，９３ｃ，９３ｄから流出する冷却風をさらに有効に光変調装置５２Ｇに送風し、光変調装置５２Ｇの効率的な冷却が可能となる。
【００６８】
（４）流出口９３ｄは、第１の流通方向に沿って列設された流出口９１，９２，９３ａ，９３ｂ，９３ｃ，９３ｄの中で、最も下流側に位置し、他の流出口９１，９２，９３ａ，９３ｂ，９３ｃから流出する冷却風１１０の風量より小さな風量の冷却風１１０を流出するように形成されている。これによって、流出口９３ｄから流出する冷却風１１０が、第１の流通方向に流通する勢いで流出口９３ｄの下流側、つまり、光変調装置５２Ｇから離間する方向（−Ｘ方向）に向かうことを抑制することが可能となる。よって、流出口９３ｄから流出する冷却風をさらに有効に光変調装置５２Ｇに送風し、光変調装置５２Ｇの効率的な冷却が可能となる。
【００６９】
（５）流出口９１，９２，９３ａ，９３ｂ，９３ｃ，９３ｄは、光変調装置５２Ｇの光束入射側端面に沿うように配設されている。これによって、乱流として流出する冷却風１２０を光変調装置５２Ｇの下方から、光変調装置５２Ｇの光束入射側端面や光束射出側端面に満遍なく送風することが可能となり、光変調装置５２Ｇのさらに効率的な冷却が可能となる。
【００７０】
（６）複数の流出口９は、光変調装置５２Ｒ，５２Ｇ，５２Ｂのうち、冷却ファン７２Ｒ，７２Ｇ，７２Ｂからの冷却風の流路が最も短い光変調装置５２Ｇに対応して設けられている。流路が短いと、冷却ファン７２Ｇの構造等によって送出口７２２における風速等の分布が不均一な冷却風１００がそのまま流出口９に向かうこととなるが、流出口９は、冷却風１２０が乱流となって流出するように形成されているので、風速等の偏りによる著しい風速や風向の乱れを抑制することが可能となる。
よって、冷却ファン７２Ｇをプロジェクター１内のデッドスペースになりがちなスペース（光変調装置５２Ｇの近傍）に配置しつつ、光変調装置５２Ｇの効率的な冷却が可能となる。
【００７１】
（７）冷却装置７は、第１流路、第２流路、第３流路にそれぞれに冷却風を送出する冷却ファン７２Ｒ，７２Ｇ，７２Ｂを備えている。これによって、光束の入射に伴って上昇する温度が異なる光変調装置５２Ｒ，５２Ｇ，５２Ｂそれぞれに対応して、各流路に流通させる冷却風の風速や風量等を容易に制御することが可能となる。よって、各冷却ファン７２Ｒ，７２Ｇ，７２Ｂの選定やそれらの駆動電圧、各流路の形状等の設定が容易となる。
【００７２】
（８）光束の入射に伴って上昇する温度が異なる光変調装置５２Ｒ，５２Ｇ，５２Ｂのうち、より温度が高くなる光変調装置５２Ｇに対応して流出口９が設けられているので、この光変調装置５２Ｇを効率よく冷却することが可能となる。よって、複数の光変調装置５２Ｒ，５２Ｇ，５２Ｂをバランスよく冷却することが可能となり、プロジェクター１は、長期に亘って色ムラ等の画質の劣化を抑制した投写が可能となる。
【００７３】
（変形例）
なお、前記実施形態は、以下のように変更してもよい。
流出口９は、平面視において矩形状に形成されているが、円形や楕円状に形成してもよく、矩形状や円形状等が混在するように形成してもよい。
また、流出口形成部８４に替えて、複数の開口部が縦横に形成されたメッシュ材を流出口形成部として構成し、この複数の開口部が乱流を流出させる流出口の機能を有するように構成してもよい。また、このメッシュ材が曲面状や凹凸を有するように形成されたものを用いてもよい。
【００７４】
前記実施形態では、光変調装置５２Ｇに対応して複数の流出口９が設けられる構成としているが、乱流を流出させる流出口を他の光変調装置５２Ｒ，５２Ｂに対応して設ける構成としてもよい。
【００７５】
光学補償素子（入射する光束の位相のずれを補償する素子）や、位相差板等を光変調装置５２Ｇの光路前段側や光路後段側に配置する構成とし、流出口９から流出する冷却風１２０がこれらの光学部品に送風されるように構成してもよい。
【００７６】
冷却装置７は、３つの冷却ファン７２Ｒ，７２Ｇ，７２Ｂを備えて構成されているが、冷却ファンは、３つに限らず、２つ以下あるいは４つ以上で構成してもよい。また、冷却ファンは、シロッコファンに限らず軸流ファンで構成してもよく、シロッコファンと軸流ファンとを組み合わせて構成してもよい。
【００７７】
前記実施形態の光変調装置５２は、透過型の液晶パネルを有して構成されているが、反射型液晶パネルを利用したものであってもよい。
【００７８】
光源３１１は放電型のランプに限らず、その他の方式のランプや発光ダイオード等の固体光源で構成してもよい。
【符号の説明】
【００７９】
１…プロジェクター、２…外装筐体、３…光学ユニット、７…冷却装置、８…ダクト、９，９１，９２，９３，９３ａ，９３ｂ，９３ｃ，９３ｄ，９４，９５…流出口（９１，９２，９３ａ，９３ｂ，９３ｃ，９３ｄ…第１流出口）、５２，５２Ｂ，５２Ｇ，５２Ｒ…光変調装置、７２Ｂ，７２Ｇ，７２Ｒ…冷却ファン、８４…流出口形成部、１００，１１０，１２０…冷却風、３１１…光源、８４２…傾斜壁。
【図１】
2013182145.tif 000003
【図２】
2013182145.tif 000004
【図３】
2013182145.tif 000005
【図４】
2013182145.tif 000006
【図５】
2013182145.tif 000007